(57)【特許請求の範囲】
【請求項１】
橋梁の地覆コンクリート上に適宜間隔をおいて立設される前面フランジおよびウェブから形成される水平断面がＴ型鋼の防護柵支柱と、
該防護柵支柱のウェブ後端に設けられるおおむね防護柵支柱高さとするフェンス取付け用支柱と、
前記フェンス取付け用支柱に適宜手段によって接続されるフェンスの高さに応じた別途フェンス取付け用支柱と、
前記フェンス取付け用支柱間に取付けられるフェンスを備える
ことを特徴とするフェンス一体型防護柵。
【発明の詳細な説明】
【０００１】
【発明の属する技術分野】
本発明は防護柵におけるフェンスの取付け方法に関する。詳しくは高架橋などの防護柵に取り付けられるフェンス一体型防護柵に係るものである。
【０００２】
【従来の技術】
従来、橋梁用防護柵とフェンスを同一場所に設置するときは橋梁用防護柵の支柱の背面にフェンス支柱を付設する、あるいは橋梁用防護柵の支柱とは別にフェンス支柱をして投物防止フェンスを設置することが知られている。
【０００３】
しかしこれらの場合では橋梁用防護柵の支柱とフェンスの支柱が別々に必要となることから部材点数が増え、部材コストが高くつき、更には両支柱を設置するためのスペースを確保しなければならない問題があった。
【０００４】
そこで前記問題点を解消することを目的とした防護柵として図９に示すようなフェンス一体型防護柵がある（例えば、特許文献１参照。）。このフェンス一体型防護柵は水平断面Ｈ型の支柱１０１が適宜間隔をおいて設けられ、該支柱１０１の正面フランジ１０２と背面フランジ１０３との間にフェンス枠１０４が挿入され取付けられ、支柱１０１の正面フランジ１０２の下部には防護柵を取付けるためのボルト孔が穿設された構成とされるものである。
【０００５】
【特許文献１】
特開平９−７１９１４号（第２図参照。）
【０００６】
【発明が解決しようとする課題】
しかしながら前記フェンス一体型防護柵は、フェンス高さの水平断面Ｈ型のフェンス支柱の下部に防護柵を取付ける機構とされるために、部品点数は少なくはなるが単体そのものが大きくなり、現場における運搬や設置工事に非常に手間がかかる問題がある。
【０００７】
また、フェンス高さは設置場所、あるいは落下物防止用、防風用などの用途によって異なるためにその目的に応じて予め工場において製作しなければならず、他用途との併用をすることができない問題があり、更に支柱との間へのフェンスの取り付けが支柱の高さまでクレーンなどによってフェンスを吊り上げての作業となり作業スペースが確保し難い現場にあっては施工上の問題がある。
【０００８】
本発明は、以上の点に鑑みて創案されたものであって、防護柵の背面に分割型のフェンス用支柱を設けることにより施工性に優れたフェンス一体型防護柵を提供することを目的とするものである。
【０００９】
【課題を解決するための手段】
上記の目的を達成するために、本発明に係るフェンス一体型防護柵は、橋梁の地覆コンクリート上に適宜間隔をおいて立設される前面フランジおよびウェブから形成される水平断面がＴ型鋼の防護柵支柱と、該防護柵支柱のウェブ後端に設けられるおおむね防護柵支柱高さとするフェンス取付け用支柱と、前記フェンス取付け用支柱に適宜手段によって接続されるフェンスの高さに応じた別途フェンス取付け用支柱と、前記フェンス取付け用支柱間に取付けられるフェンスを備える。
【００１０】
ここで、前面フランジおよびウェブから形成される水平断面がＴ型鋼の防護柵支柱とし、かつ該防護柵支柱のウェブ後端にフェンス取付け用支柱を一体的に設けることにより部材点数が少なく、施工が容易でのフェンスの取付けが可能となる。
【００１１】
また、水平断面がＴ型鋼の防護柵支柱とすることにより防護柵としての強度の維持が図られると共に、全体の重量を軽減することが可能となり、更にフェンス取付け用支柱の高さをおおむね防護柵支柱高さとすることによりフェンス一体型防護柵としての施工が容易となる。
【００１２】
【発明の実施の形態】
以下、本発明の実施の形態を図面を参酌しながら説明し、本発明の理解に供する。
【００１３】
図１は、本発明を適用したフェンス一体型防護柵の一例を説明するための側面図、図２は図１Ａ−Ａ線における断面図、図３は図１における正面図を示す。ここで示すフェンス一体型防護柵１は、橋梁の地覆コンクリート２上に適宜間隔をおいて立設される防護柵支柱３と、この防護柵支柱３の後端に設けられるフェンス取付け用支柱４と、各フェンス取付け用支柱４間に取付けられるフェンス本体５とから構成されるものである。
【００１４】
ここで、防護柵支柱３は水平断面が前面フランジ６およびウェブ７から成るＴ型形状に形成され、橋梁の地覆コンクリート２に設けられるアンカーボルト８によって締結固定されるものである。又防護柵支柱３の正面の上、下部には上部水平ビーム９および下部水平ビーム１０が連続して取付けられた構成とされるものである。
【００１５】
そこで前記防護柵支柱３のウェブ７の後端に沿って水平断面が四角形状の筒体より形成されるフェンス取付け用支柱４が固着される。そしてこのフェンス取付け用支柱４の両側面に沿って連結用リブ１５が突設され、同連結用リブ１５とフェンス５の枠体１１がボルト挿通穴１２よりボルト・ナットなどの締結部材１３によって各フェンス取付け用支柱４間に取付けられるものである。
【００１６】
また、フェンス取付け用支柱４はおおむね防護柵支柱３の高さとし、同防護柵支柱３の上端にスリーブ１４を介してフェンス高さに応じて防護柵支柱３を接続する構成とするものである。
【００１７】
次に図４および図５並びに図６に本発明を適用したフェンス取付け用支柱の他の例を示すものであり、図４に示すのは防護柵支柱３のウェブ７の後端に沿ってフェンス本体５の枠体１１が挿入可能な水平断面がH型形状に形成されるフェンス取付け用支柱４が固着されるものである。このフェンス取付け用支柱４にフェンス本体５の枠体１１が挿入された状態でボルト挿通穴１２よりボルト・ナットなどの締結部材１３によって各フェンス取付け用支柱４間にフェンスが取付けられる構成とするものである。
【００１８】
また、図５に示すのは防護柵支柱３のウェブ７の後端に沿って円筒体より形成されるフェンス取付け用支柱４が固着される。そこでこのフェンス取付け用支柱４の両外周面に連結用リブ１５が突設され、同連結用リブ１５とフェンス本体５の枠体１１がボルト挿通穴１２よりボルト・ナットなどの締結部材１３によって各フェンス取付け用支柱４間に取付けられるものである。
【００１９】
また、図６に示すのは防護柵支柱３のウェブ７の後部両側面に沿って水平断面がＬ型のフェンス枠体１１が固着されるものであり、このフェンス枠体１１がボルト挿通穴１２よりボルト・ナットなどの締結部材１３によって防護柵支柱３とフェンス枠体１１が直接取付けられるものである。
【００２０】
次に図７に示すのは本発明を適用した防護柵支柱の他の例を示すものであり、防護柵支柱３の底部から中途部までがＨ型鋼の支柱に形成され、その上部がＴ型鋼の支柱により形成されるものである。従ってフェンス取付け用支柱４は前記防護柵支柱３の中途部より取付けられる構成とするものである。
従って前記防護柵支柱３の下部をＨ型鋼により形成することによって剛性の優れた防護柵支柱を得ることが可能となる。
【００２１】
なお前述した図１および図７に示す防護柵支柱３の下部背面側にはそれぞれクビレ部１６が形成されるものであり、このクビレ部１６によって例えば防護柵に車などの衝突による衝撃によって防護柵支柱が３００ｍｍ変形しても折損しない構造とするものである。
【００２２】
ここで、フェンス取付け用支柱は必ずしも本実施例で示す形態のものである必要性は無く、フェンスの枠体を容易、かつ確実に連結できるものであればいかなる形態のものであっても良い。
【００２３】
また、フェンス取付け用支柱同士の連結は必ずしもスリーブによって行われる必要性は無く、例えば嵌合式などフェンス取付け用支柱同士の連結が容易、かつ確実に行えるものであればいかなる連結機構のものであっても構わない。
【００２４】
また、フェンス本体はエキスバンドメタルやパンチングメタル等の開口部を有した金属板でもよいし、鋼板やアルミ合金板、ステンレス板等の金属板やポリカーボネート板やＦＲＰ板等の合成樹脂板でも良い。
【００２５】
以上の構成より成る本発明では、まず防護柵支柱を地覆コンクリート上に立設した後に、防護柵支柱の後端に固着されるフェンス取付け用支柱間にフェンスの取付けを行う。
【００２６】
そして防護柵支柱へのフェンスの取付けを行った後に、フェンスの高さに応じて各フェンス取付け用支柱上に継足し用としての各フェンス取付け用支柱の連結を行い、再び連結したフェンス取付け用支柱間にフェンスの取付けを行うものである。
【００２７】
従って現場においてフェンス高さに応じての各フェンス取付け用支柱の継足し施工により運搬性および作業性に優れたものとなる。
【００２８】
また、防護柵支柱の後端に取付けられるフェンス取付け用支柱の高さを、おおむね防護柵支柱高さとすることにより、例えば図８に示すようにフェンス取付け用支柱の継足しを行わずにフェンスの取付けを一段のみのとすることで通常の防護柵として活用することが可能となる。
【００２９】
【発明の効果】
以上述べて来た如く本発明によれば、防護柵支柱の水平断面構造をフランジとウェブとからなるＴ型構造とし、ウェブの後端にフェンス取付け用支柱を固着した機構とすることにより、部材点数が少なくなるために部材コストが安くなると共に、フェンス取付け用支柱の高さをおおむね防護柵支柱の高さとし、フェンス高さの応じて防護柵支柱を継足す機構とすることにより運搬性に優れ、かつ施工作業が橋梁内から可能となるため施工性が大幅に向上する。
【００３０】
更にフェンス取付け用支柱を継足す機構とすることにより、設置状況に応じてフェンスの高さを自在に調整することが可能となり、しかもそのフェンス取付け用支柱の連結作業が現場において行えることにより作業性に優れたものとなる。
【図面の簡単な説明】
【図１】本発明を適用したフェンス一体型防護柵の一例を示す側面説明図である。
【図２】図１のＡ−Ａ線における断面説明図である。
【図３】図１における正面説明図である。
【図４】本発明を適用したフェンス一体型防護柵のフェンス取付け用支柱の他の例を示す断面説明図である。
【図５】本発明を適用したフェンス一体型防護柵のフェンス取付け用支柱の他の例を示す断面説明図である。
【図６】本発明を適用したフェンス一体型防護柵のフェンス取付け用支柱の他の例を示す断面説明図である。
【図７】本発明を適用したフェンス一体型防護柵の他の例を示す説明図である。
【図８】本発明を適用したフェンス一体型防護柵のフェンス取付け用支柱を一段のみとした状態を示す説明図である。
【図９】従来のフェンス一体型防護柵の一例を示す説明図である。
【符号の説明】
１      フェンス一体型防護柵
２      地覆コンクリート
３      防護柵支柱
４      フェンス取付け用支柱
５      フェンス本体
６      前面フランジ
７      ウェブ
８      アンカーボルト
９      上部水平ビーム
１０    下部水平ビーム
１１    枠体
１２    ボルト挿通穴
１３    締結部材
１４    スリーブ
１５    連結用リブ
１６    クビレ部
【図１】
0003708080.tif 000002
【図２】
0003708080.tif 000003
【図３】
0003708080.tif 000004
【図４】
0003708080.tif 000005
【図５】
0003708080.tif 000006
【図６】
0003708080.tif 000007
【図７】
0003708080.tif 000008
【図８】
0003708080.tif 000009
【図９】
0003708080.tif 000010